(57)【特許請求の範囲】
【請求項１】
扉の錠のラッチボルト及び／又はデッドボルトを係入させるため、扉枠又は両開き扉の他の扉に取り付けられるストライクにおいて、ストライク板とトロヨケとで形成される空間部に内から順に、鉛直な折曲げ線を有する断面Ｌ字形の調整板と、一つの側板の内面をラッチボルト及び／又はデッドボルトに対する係合部とした内ケースを設け、上記調整板は上下方向にのみ移動可能に案内すると共に、内ケースは正面から見て左右方向にのみ移動可能に案内し、調整板の一側のトロヨケと内ケースの間に延び出す立ち上がり片の前端部に設けた操作部をストライクの前面側に露出させ、一方、調整板のストライク板と平行な部分に案内傾斜孔を設けると共に、案内傾斜孔の一対の平行な開口端縁の内上記内ケースの係合部に近い方に波形の縁部を形成し、他方、内ケースの外底部には上記の案内傾斜孔に可動に嵌め込まれ波形縁部に係合できる突起を突設し、また、トロヨケにおける一方の側板と内ケースにおける一方の側板との間には押しばねを弾装したことを特徴とする調整ストライク。
【発明の詳細な説明】
【０００１】
【発明の属する技術分野】
この発明は、扉の錠のラッチボルト等を係入させるため、扉枠又は両開き扉における他の扉に取り付けられる調整ストライクの改良に関する。
【０００２】
【従来の技術】
実開平４−５６８７４号公報に開示された調整ストライク、すなわち、ラッチ受けプレートとラッチ受け箱とからなるラッチ受座において、側面に波形面を有し、ガイド溝を対角線上に設けた調整板をラッチ受け箱底部に配置するとともに、ガイド溝に挿入するガイドピンとドライバ溝とを各々底部中央部及び側壁部に有し、かつ、スライド片を上部端縁部より幅方向に延設し、ラッチ受け箱の内幅より小さい箱状のスライド体を調整板上部に挿入配置してなるラッチ受座は、構造が比較的簡単な上、突出位置にあるラッチボルト等とスライド体（内ケース）の係合部との位置関係を適正に調整して風や振動による扉のがたつきを排除するについて、ストライクの取付後にドライバ等の工具を用いた簡単な操作でそれを行うことができるので、なかなか便利である。
【０００３】
【発明が解決しようとする課題】
しかしながら、前記の従来の調整ストライクにおいては、内ケース（スライド体）のガイドピンは調整板のガイド溝のスムーズな縁部に接触しているため、長期の使用における衝撃や振動により内ケースが調整板と共に適正位置からずれ動いてしまうという問題も起り得ることになる。
【０００４】
この発明は、調整板を有する形式の調整ストライクにおいて、操作性の良さを犠牲にすることなく、ラッチボルト等を受け止める内ケースが適正位置に確実に留まるようにすることを目的として提案されたものである。
【０００５】
【課題を解決するための手段】
上記の目的を達成するため、この発明は、扉の錠のラッチボルト及び／又はデッドボルトを係入させるため、扉枠又は両開き扉の他の扉に取り付けられるストライクにおいて、ストライク板とトロヨケとで形成される空間部に内から順に、鉛直な折曲げ線を有する断面Ｌ字形の調整板と、一つの側板の内面をラッチボルト及び／又はデッドボルトに対する係合部とした内ケースを設け、上記調整板は上下方向にのみ移動可能に案内すると共に、内ケースは正面から見て左右方向にのみ移動可能に案内し、調整板の一側のトロヨケと内ケースの間に延び出す立ち上がり片の前端部に設けた操作部をストライクの前面側に露出させ、一方、調整板のストライク板と平行な部分に案内傾斜孔を設けると共に、案内傾斜孔の一対の平行な開口端縁の内上記内ケースの係合部に近い方に波形の縁部を形成し、他方、内ケースの外底部には上記の案内傾斜孔に可動に嵌め込まれ波形縁部に係合できる突起を突設し、また、トロヨケにおける一方の側板と内ケースにおける一方の側板との間には押しばねを弾装したことを特徴とする。
【０００６】
【発明の実施の形態】
以下、図面に示す実施例に基いてこの発明について説明する。
この発明の調整ストライクは、扉の錠のラッチボルト及び／又はデッドボルト（以下「ラッチボルト等」と略称する）を係入させるため、扉枠又は両開き扉における他の扉に取り付けて用いるものである。
【０００７】
図示例のストライクは、突出させたラッチボルト及びデッドボルト（いずれも図示しない）を共に受け入れることができるようにした共用タイプのもので、縦長に、すなわち上下方向に長く作られているが、ラッチボルト又はデッドボルトを単一で係入させようとする場合はストライクの全長（上下方向の長さ）は勿論短くして製作することができる。
【０００８】
図１〜図４において、符号１はストライク板で、１１はラッチボルト等が差し込まれる開口、１２は扉枠又は他の扉に対する取付け用のねじ孔、１３は後記の内ケース４の舌片４２に対する案内溝である。
【０００９】
ストライク板１の後方に設けられる固定の外ケースであるトロヨケ２は、前方が開口された箱形をなし、上下部分には取付けのためのフランジ２１、２１を有する。符号２２は扉枠又は他の扉に対する取付け用のねじ孔で、フランジ２１、２１に穿設したものである。
【００１０】
ストライク板１とトロヨケ２とで形成される空間部には、内側から順に、鉛直な折曲げ線を有する断面Ｌ字形の調整板３及び内ケース４を可動な状態で装着する。換言すれば、トロヨケ２、調整板３、内ケース４及びストライク板１は、図４に示す矢印Ａ、Ｂ、Ｃの順に重ね合わせて組み付けられる。
【００１１】
トロヨケ２内に調整板３と内ケース４とを入れた後、ストライク板１はそれでトロヨケ２に蓋をするようにして固定されるものであるが、その固定手段としては、バーリングによるかしめ付け、溶接、又は取付ねじによる締付け等が採用できる。
【００１２】
図５に明示するように、横断面がＬ字状をなす調整板３は、その上下方向（縦方向）についてはトロヨケ２の上下方向（長さ方向）の内法よりも短く形成してあり、トロヨケ２内で上下方向（縦方向）に移動できるようにしてある。
【００１３】
調整板３の一側（例えば図１、図４並びに図５（Ａ）で正面から見て左側）に折り曲げ加工等によって設けた立ち上がり片３１は、トロヨケ２の側板と内ケース４の側板との間を延び出すようにしてある。
【００１４】
また、立ち上がり片３１の前端辺に設けた一体の突片又は凹部等で成る操作部３２は、ドライバ等の工具の先端を掛け止めることができるようにしてもので、ストライクの前面側に露出させてある。
【００１５】
図示例では、その操作部３２は内ケース４の舌片４２部分からストライク板１の開口縁部に亘って設けられた窓４４から外部へ覗かせてある。
【００１６】
また、符号３５は調整板３における前記の立ち上がり片３１に設けた逃げ孔で、トロヨケ２の一方の側板と内ケースの一方の側板との間に装着する後記の押しばね５を該調整板３の変位時に逃がすためのものである。
【００１７】
更に、調整板３の本体部分には後記の内ケース４の突起４３が可動に嵌め込まれる任意数の案内傾斜孔３３を穿設する。案内傾斜孔３３を２つ以上設ける場合は相互に平行をなすようにする。
【００１８】
そしてまた、各案内傾斜孔３３における内ケース４の係合部４１側の側辺、すなわち、内ケース４の係合部４１に近い側の側辺は、波形の縁部３４に形成する。その波形縁部３４には常態で内ケース４の突起４３の胴部を当接させる（図１及び図２参照）。
【００１９】
図示例においては、調整板３はトロヨケ２の内面及び内ケース４の外底面等によって案内されトロヨケ２内で上下方向（矢印Ｐ方向）にのみ可動とされる。
【００２０】
次に、内ケース４について詳述する。
内ケース４は前方が開口された箱形をなし、他方の側板、例えば右方の側板はラッチボルト等の背面が当接する係合部４１として機能する。
【００２１】
内ケース４の開口部における両側部分には任意数のフランジ状をなす舌片４２を備えており、内ケース４の外底面には低いピン状、すなわち円板状をなす任意数の突起４３が突設してある。各突起４３は上述の調整板３における対応する案内傾斜孔３３に可動に嵌め込まれる。
【００２２】
内ケース４はトロヨケ２よりも幅狭とされて正面から見て左右方向（矢印Ｑ方向）にのみ移動可能とされている。
【００２３】
図示例において、内ケース４の左右方向への移動の案内は、内ケース４の外面とトロヨケ２の内面との摺接、内ケース４の一部の舌片４２とストライク板１の案内溝１３との可動の嵌め合せ、及び、内ケース４の他の舌片４２とストライク板１の裏面とトロヨケ２の前方縁との間に設けた隙間２３との可動の嵌め合せによって行われる。
【００２４】
但し、内ケース４並びに上記の調整板３の案内手段は実施例のものに限らず、任意に設計できる。
【００２５】
図２及び図４に明示する圧縮円錐ばねその他任意の形式の押しばね５は、トロヨケ２の一方の側板と内ケース４の一方の側板との間に調整板３の逃げ穴３５を通じて装着され、内ケース４をトロヨケ２の他方の側板に向け付勢する。
【００２６】
要するに、押しばね５は平常時内ケース４の突起４３を調整板３における案内傾斜孔３３の波形縁部３４に弾性的に押し付けてそれに安定した状態で係合させるためのものである。図４で符号４５は内ケース４の一方の側面に設けたばね止め片を示す。
【００２７】
上記のような構成のこの発明のストライクにおいて、内ケース４を左右方向（矢印Ｑ方向）に移動させてその係合部４１が適切な位置を占めるようにするためには、ドライバ等の工具の先端を調整板３の操作部３２に係止させ、該操作部３２を上方又は下方（矢印Ｐ方向）に向け必要な距離だけ動かす。
【００２８】
その際、操作部３２と共に直線的に変位する調整板３は、その案内傾斜孔３３で内ケース４の突起４３を誘導して、左右方向（矢印Ｑ方向）への移動のみが許容された内ケース４を押しばね５に抗して左又は右方向に変位させる。
【００２９】
前記の操作により、内ケース４の係合部４１はラッチボルト等に対し適正位置が占められるように調整されることになり、操作後は押しばね５の押圧により調整板３の波形縁部３４と内ケース４の突起４３とが再びしっかりと係合する。
【００３０】
従って、内ケース４にあっては、扉のラッチボルト等との間でがたつきのない適正位置が安定した状態で保持されることになる。
【００３１】
なお、調整板３の操作部３２をドライバ等の工具で上方又は下方に向け動かす時、その操作に先立ち予め別の手によって内ケース４を押しばね５に抗してトロヨケ２の一方の側板に向け一時的に押さえ付けておくと、その間は内ケース４の突起４３と調整板３における案内傾斜孔３３の波形縁部３４との係合が解除されるので、操作部３２すなわち調整板３の移動操作が極めて軽く行えることになる。この手法を用いると調整操作は更に楽になる。
【００３２】
図１に示されるこの発明に係る調整ストライクは、左勝手に開放される扉に対して用いるものとして表されているが、上下を逆にすれば右勝手の扉に対してもそのまま用いることができる。
【００３３】
【発明の効果】
以上に説明したこの発明の調整ストライクは、構造が機能の割りに簡単で、部品数も少ない。
【００３４】
また、ドライバ等の工具により調整板を外側から上下させることにより内ケースを左右方向に移動させることができるので、ストライクの取り付け後であっても、内ケースの係合部が適正位置を占めるようにセッティングすることが楽に行える。
【００３５】
更にまた、一旦適正位置にセッティングされた内ケースは、押しばねで付勢された該内ケースの突起と調整板におけ案内斜孔の波形縁部とが確実な係合するので、内ケースは長期に亘り極めて安定した状態でその位置に保持される、等種々の効果を奏する。
【図面の簡単な説明】
【図１】この発明の調整ストライクの実施例を示す正面図。
【図２】その横断平面図。
【図３】その縦断側面図。
【図４】図１に示す実施例の分解正面図。
【図５】図１の実施例から取り外した調整板を示す図で、（Ａ）は正面図、（Ｂ）は側面図。（Ｃ）は平面図である。
【符号の説明】
１  ストライク板
２  トロヨケ
３  調整板
３１  立ち上がり部
３２  操作部
３３  案内傾斜孔
３４  波形縁部
４  内ケース
４１  係合部
４３  突起
５  押しばね
【図１】
0003946801.tif 000002
【図２】
0003946801.tif 000003
【図３】
0003946801.tif 000004
【図４】
0003946801.tif 000005
【図５】
0003946801.tif 000006